(57)【特許請求の範囲】
【請求項１】
車両の走行安全性制御方法において、
旋回走行時に、車両の舵取り角と車速とを用いて運転者の望む第１旋回速度と、車両の横加速度と車速を用いて運転者の望む第２旋回速度を設定する段階と、
走行路面が高摩擦路面なのか、低摩擦路面なのかを判断する段階と、
前記走行路面が高摩擦路面であると、前記設定された運転者の望む車両の第１旋回速度と、旋回速度センサーから測定された実際旋回速度とを比較してアンダーステアまたはオーバーステアを判断し、前記走行路面が低摩擦路面であると、前記設定された運転者の望む第２旋回速度と、旋回速度センサーから測定された実際旋回速度とを比較してアンダーステアまたはオーバーステアを判断する段階と、
前記アンダーステアまたはオーバーステアと判断されたら、制動力及び駆動力を制御して車両の旋回補償モーメントを発生させる段階と、
を備えることを特徴とする車両の走行安全制御方法。
【請求項２】
前記運転者の望む第１旋回速度は、前記舵取り角と車速とを車両モデルに適用して算出される旋回速度値に、前記舵取り角と車速に相応する旋回速度の補償値を適用して設定されることを特徴とする請求項１に記載の車両の走行安全制御方法。
【請求項３】
車両が四輪駆動車両である場合、前記車速は、次の式から算出されることを特徴とする請求項１に記載の車両の走行安全制御方法。
0003882116.tif 000009
ここで、Ｖref：車速（Reference Speed）
α：縦加速度に対する加重値（Weighting Factor）
αx0：縦加速度に対する外乱補償値（Perturvation Factor）
αx：車体縦加速度値
Δｔ：積分時間（Integration Time）
Ｃ1：以前基準車速に対する加重値（Weighting Factor）
Ｖwheel：車輪速度（Wheel Speed）
【発明の詳細な説明】
【０００１】
【発明の属する技術分野】
本発明は車両の走行安定性制御方法に関し、車両のアンダーステア又はオーバーステアに際して、制動力及び駆動力を制御して車両の走行安定性を確保した車両の走行安定性制御方法に関するものである。
【０００２】
【従来の技術】
一般に、アンチロックブレーキシステム（ＡＢＳ）は車輪速度から演算されるスリップ率に応じて、ホイールに加わる制動圧を適切に調節して車輪のロッキングを防止するものであり、トラクションコントロールシステム（ＴＣＳ）は車両の急発進又は急加速の際に過大なスリップを防止するため、エンジンの駆動力を調節するものである。
【０００３】
アンチロックブレーキシステム（ＡＢＳ）とトラクションコントロールシステム（ＴＣＳ）は、車両が直線道路を走行する場合に良好な性能を発揮することができるが、カーブ道路を旋回走行する場合には外側に傾きすぎるアンダーステア（plow）が起こることがあり、逆に内側に傾きすぎるオーバーステア（spin-out）が起こることがある。
【０００４】
それで、車両が走行するどんな状況でも車両の姿勢を安定に制御する、つまり車両の操向性喪失を防止するための車両安定性システムが要求されている。一例として、旋回操行時、運転者が所望の走行軌跡から外側に押されるアンダーステアが発生する状況で、後輪の内側輪に制動力を加えることにより、車両が外側に押されることを防止し、旋回走行時、車両の旋回速度が高すぎて運転者が所望の走行軌跡から内側に傾くオーバーステアが発生する状況では前輪の外側輪に制動力を加える動作が必要である。
【０００５】
旋回走行に際して、車両安定性を制御するためには、運転者が所望車両の旋回速度を正確に予測し、予測された旋回速度に応じて車両が走行するように前輪と後輪に適切な制動圧を加えることができるかによってシステムの性能が決定される。
【０００６】
また、車両の安定性を制御することにおいて、前述したアンチロックブレーキシステム及びトラクションコントロールシステムの性能を低下させてはいけなく、これとは反対に、アンチロックブレーキシステム及びトラクションコントロールシステムにより車両の安定性が低下する悪影響を及ぼしてもいけない。
【０００７】
したがって、車両の運動状態に応じて適切に車両の安定性を制御するためには、運転者が所望車両の旋回速度を正確に予測しながらも、既存のアンチロックブレーキシステム及びトラクションコントロールシステムとともに協調制御することに主眼点を置くことが好ましい。
【０００８】
【発明が解決しようとする課題】
したがって、本発明の目的は、運転者が所望の旋回速度を正確に予測し、実際車両の軌跡が前記旋回速度による軌跡を追従するように制動力とエンジン駆動力をともに調節することにより、車両の安定性を確保することにある。
【０００９】
【課題を解決するための手段】
前述した目的を達成するための本発明は、車両の走行安定性制御方法において、旋回走行時に、車両の舵取り角と車速を用いて運転者の望む第１旋回速度と、車両の横加速度と車速を用いて運転者の望む第２旋回速度を設定する段階と、走行路面が高摩擦路面なのか、低摩擦路面なのかを判断する段階と、前記走行路面が高摩擦路面であると、前記設定された運転者の望む車両の第１旋回速度と、旋回速度センサーから測定された実際旋回速度とを比較してアンダーステアまたはオーバーステアを判断し、前記走行路面が低摩擦路面であると、前記設定された運転者の望む第２旋回速度と、旋回速度センサーから測定された実際旋回速度とを比較してアンダーステアまたはオーバーステアを判断する段階と、前記アンダーステアまたはオーバーステアと判断されたら、制動力及び駆動力を制御して車両の旋回補償モーメントを発生させる段階とを含む車両の走行安定性制御方法である。
【００１０】
【発明の実施の形態】
以下、本発明による好ましい実施例を添付図面に基づいて詳細に説明する。
【００１１】
本発明は、旋回走行に際して、車両が所望の走行コースより外側に押されるアンダーステアが起こる状況にある場合、後輪の内側輪に制動力を加えることにより、車両の操向性喪失を防止し、望まない車両の旋回速度の増加により旋回半径が急に減少して車両安定性を失うオーバーステアが起こる状況にある場合、前輪の外側輪に制動力を加えることにより、車両の操向性喪失を防止する。
【００１２】
図１は本発明による車両操行安定性制御システムの構成図である。同図に示すように、本発明の車両安定性制御システムは、測定部１０、電子制御部２０、ブレーキ制御部３０、エンジントルク制御部４０、ＡＢＳ制御部５０、及びＴＣＳ制御部６０からなる。
【００１３】
測定部１０は、４輪のホイール速度を検出するためのホイール速度センサー１１、車両の縦方向加速度を検出するための縦加速度センサー１２、操向ハンドルの操向角を検出するための操向角センサー１３、車両の横方向加速度を検出するための横加速度センサー１４、及び車両の旋回程度を検出するための旋回速度センサー１５を含んでいる。ここで、縦加速度センサーは４輪駆動車両に限り適用される。
【００１４】
電子制御部２０は、ホイール速度センサー１１及び縦加速度センサー１２で検出された値を用いて車両の速度を推定する車速推定部２１、操向角センサー１３で検出された値を用いて操向ハンドルの操向角を演算する操向角演算部２２、横加速度センサー１４で検出された横加速度、車速及び操向角を用いて車両の安定性制御時点、アンダーステア／オーバーステアを決定するためのデッドゾーンを設定するデッドゾーン設定部２３、車両の車速と操向角を用いて路面（高摩擦路面）での運転者の望む旋回速度を推定し、この旋回速度と車速を用い、推定された横加速度と横加速度センサー１４で検出された横加速度とを比較して走行車両の路面摩擦係数を推定する路面摩擦係数推定部２４、推定された路面摩擦係数の路面での運転者の望む旋回速度を決定する旋回速度推定部２５、旋回速度と旋回速度センサー１５で検出された旋回速度との差を設定されたデッドゾーンと比較して、車両の状態がアンダーステア又はオーバーステアであるかを決定するアンダーステア／オーバーステア判断部２６、及び判断されたアンダーステア又はオーバーステアによって、ブレーキ制御部３０、エンジントルク制御部４０単独又はＡＢＳ制御部５０及びＴＣＳ制御部６０と協調制御して車両の制動力及びエンジンの駆動力を制御するアンダーステア／オーバーステア制御部２７からなる。
【００１５】
ブレーキ制御部３０は油圧モジュレータから当該車輪のホイールシリンダーに供給されるブレーキ液圧を制御して制動する。
【００１６】
エンジントルク制御部４０は、エンジン制御器に目標トルクを伝送することにより、エンジンの駆動力を制御する。
【００１７】
図２は本発明による車両の走行安定性制御システムに対する全体流れ図である。同図に示すように、電子制御部２０は路面状態に応じて、運転者の望む車両旋回速度を設定する（Ｓ１００）。この際、高摩擦路面での運転者の望む旋回速度は車速推定部２１からの車速と操向角演算部２２からの操向角を高摩擦路面での車両の運動モデルに適用して算出し、低摩擦路面での運転者の望む旋回速度は車速推定部２１からの車速と横加速度センサー１４で検出された横加速度を低摩擦路面での車両の運動モデルに適用して算出する。
【００１８】
電子制御部２０は、路面による運転者の望む車両旋回速度が算出されると、測定部１０からの各種センサーの値から、車両の走行路面が高摩擦係数の路面であるか、又は低摩擦係数の路面であるかを判断する（Ｓ２００）。
【００１９】
路面の判断結果、走行路面が高摩擦係数の路面であると、電子制御部２０は、段階Ｓ１００で設定された旋回速度のうち、高摩擦路面での運転者の望む旋回速度を旋回速度と決定し、低摩擦係数の路面であると、低摩擦路面での運転者の望む旋回基準速度を旋回速度と決定する（Ｓ３００）。
【００２０】
運転者の望む旋回速度が決定されると、電子制御部２０は、デッドゾーン設定部２３で設定されたデッドゾーンを参照し、アンダーステア／オーバーステア判断部２６により、旋回速度センサー１５で検出された車両の実際旋回速度と旋回速度を比較して、車両の状態がオーバーステアであるか又はアンダーステアであるかを判断する（Ｓ４００）。
【００２１】
車両の状態を判断した結果、アンダーステアである場合には、アンダーステア／オーバーステア制御部２７により、ブレーキ制御部３０、エンジントルク制御部４０、そして必要な場合、ＡＢＳ制御部５０、ＴＣＳ制御部６０と協調して後輪の内側輪に制動力を加えることで車両の操向性喪失を防止する（Ｓ５００）。
【００２２】
この際、ＡＢＳとの強調制御の場合、後輪の内側輪、前輪の外側輪にそれぞれの対角線輪も横力（side force）を増加させるため、制御を行う。
【００２３】
言い換えれば、前輪より後輪において先にタイヤと路面間の接着限界に到達したとき、オーバーステア現象が表れるので、前輪の制動装置を制御することにより、前輪により発生する旋回モーメントを減らす。逆に、前輪で先にタイヤと路面間の接着限界に到達してアンダーステア現象が発生したとき、後輪を制御して車両の所望軌跡に沿って運動するようにする。路面の摩擦係数の変化時は、オーバーステアが一層大きく発生し得るので、旋回速度と実際測定された旋回速度との差が規定変化率以上に増加すると、前輪の外側輪以外の後輪の外側輪もともに制御することにより、車両安定性を確保する。アンダーステアの場合にも同様に、後輪の内側輪のほかに前輪の内側輪も同時に制御を行う。
【００２４】
また、本発明において、最適の安定性を確保し、過度な制動圧力が発生しないようにするため、制動力のみで不充分な場合には、エンジン駆動力をともに減少させることにより、過度な制動力による車両の揺れ（rocking）現象を最小にするための制御動作を並行する。
【００２５】
以下では、図２における走行路面による運転者の望む車両旋回速度を設定するための方法を説明する。
【００２６】
＜高摩擦路面での運転者の望む車両旋回速度＞
高摩擦路面での運転者の望む車両軌跡を示す旋回速度（yaw rate）は、基本物理法則に基づき、操向角と車速（車速）から決定される。
【００２７】
図３は車両の２自由度システムでモデリングした図である。
【００２８】
式（１）は車体旋回速度と車体滑り角（β）に対する車両運動方程式を示し、ニュートン（Newton）の第２法則と微分概念を用いて式（１）を誘導することができる。
【００２９】
（式１）
0003882116.tif 000002
【００３０】
ここで、
Ｎδは制御モーメント微分係数（control moment dericative（-lfcf）
Ｙδは制御力微分係数（control force derivative（cf））
Ｎγはヨーダンピング微分係数
（yaw damping derivative｛（lf2cf＋lγ2cγ）／Ｖ｝）
Ｙβはサイドスリップダンピング微分係数
（side slip damping derivative（cf＋cγ））
Ｎβは静的横方向安定微分係数
（static directional stability derivative｛（lfcf−lγcγ）｝）
Ｙγは横力／ヨーカップリング微分係数
（lateral force／yaw coupling derivative（｛（lfcf−lγcγ）／Ｖ｝）
Ｉzはｚ軸に対する車両慣性モーメント
（vehicle inertia of moment about ｚ−axis）
ｍは車両重量（vehicle mass）
Ｉは中心と車軸の距離（distance of the axle and the center of gravity）
下付きｆ、γはそれぞれ前輪と後輪
ｃはタイヤコーナリングスティフネス（tire cornering stiffness）
Ｖは車速である。
【００３１】
式（１）を車体速度に対して整理すると、式（１）から式（２）を求めることができ、この式（２）から運転者の望む旋回速度（γdesired）は操向角（δsw）と車速（Ｖ）から求める。
【００３２】
（式２）
0003882116.tif 000003
【００３３】
ここで、式（２）の係数値、Ｃ1、Ｃ2、Ｃ3は線形方程式の式（１）の各微分係数から決定される。しかし、運転者の望む旋回速度は典型的な一つの作用点（Operating Point）としてのみ満足しなく、全体運転状況で満足しなければならないので、操向角及び車速が変化するにつれてその値を変更させなければならない。すなわち、操向角区間をｍ段階に分け、車速区間をｎ段階に分けて、車両モデルに対する旋回速度ゲインＧｉｊ（ｉ：１〜ｍ、ｊ：１〜ｎ）を試験で求めた後、Ｃ1、Ｃ2、Ｃ3にそれぞれ掛ける。この際、ゲインは、図４に示すように、車速と操向角の変化に対する補償値である。
【００３４】
＜低摩擦路面での運転者の望む車両旋回速度＞
低摩擦路面での運転者の望む車両軌跡を示す旋回速度（ｒdesired）は車両の横加速度と車速（車速）から決定される。
【００３５】
路面摩擦係数が小さい場合、（式２）から得た旋回速度（ｒdesired）を用いて制御すると、車両は運転者の望む走行軌跡に沿って行けるが、車体滑り角が大きくなって安定性を失ってしまう。この場合には、旋回速度（ｒdesired）を制限することにより、車両安定性を確保しながら車両の所望方向に運動できるようにする。
【００３６】
本発明において、旋回速度（ｒdesired）を制限する方法は、基本的な車両運動学を示す（式３）から決定される。
【００３７】
（式３）
0003882116.tif 000004
【００３８】
ここで、αy,maxは路面摩擦係数により制限された横加速度の最大値であり、測定された横加速度をフィルタリングして決定する。
【００３９】
以下、図２における走行路面を判断する方法を説明する。
【００４０】
図６は車両の横加速度を用いて走行路面を判断するための方法を示す流れ図である。式（３）に示すように、車両の車体横加速度（αy）は路面摩擦係数（μ）と車速（Ｖ）の関数で表すことができる。
【００４１】
基準横加速度（αy,stab）（γdesiredとＶの掛け）と測定された横加速度（αy,means）との差が一定値（Δμay）以上であると低摩擦係数の路面と判断し、そうでないと、高摩擦係数の路面と判断する。低摩擦路面である場合、式（３）の路面摩擦係数により制限された横加速度（αy,max）を用いる。また、小さい操向角により路面摩擦を過小評価することを防止するため、車両旋回運動中に測定された横加速度の最大値を考慮して横加速度を決定する。
【００４２】
以下、図２における走行路面による運転者の望む車両旋回速度を決定し、車両がオーバーステアであるか又はアンダーステアであるかを判断した後、それに応じて制動力及び駆動力を制御する方法を説明する。
【００４３】
前述したように、旋回車両の走行路面が高摩擦路面である場合は、運転者の望む車両旋回速度を式（２）を用いて算出した後、旋回速度と決定し、低摩擦路面である場合は、式（３）を用いて算出した後、基準旋回速度と決定する。
【００４４】
基準旋回速度が決定されると、実際測定された車両の旋回速度と基準旋回速度を比較し、その差を計算した後、その差とデッドゾーン値を比較してオーバーステア又はアンダーステアを判断する。
【００４５】
デッドゾーンの設定方法を調べると、車両安定性制御システムはすべての運転状況で作動しなければならなく、不要な制御により運転に邪魔をしては行けないので、（式４）からデッドゾーンを設定する。
【００４６】
（式４）
0003882116.tif 000005
【００４７】
ここで、Ｋ0、Ｋ1、Ｋ2、Ｋ3、Ｋ4：変数
δ：操向角（steering wheel angle）
ｄδ：操向角の微分係数（derivative of steering wheel angle）
ａy：車体横加速度（測定値）
Ｖref：車両の車速
運転者の望む旋回速度（ｒdesired）と実際回転速度との差が一定基本値（Ｋ0）内では制御ができなく、操向角と操向角の変化率と車体横加速度によってその制御範囲が決定される。ここで、Ｋ1、Ｋ2、Ｋ3、Ｋ4の値はそれぞれ操向角、操向角変化率、車体横加速度値、車両車速によってその値が変化し、図４のような概念を用いて区間別に係数値を決定する。
【００４８】
また、デッドゾーンは、傾斜路を走行するとき、その範囲を増加させることで誤動作を防止し、サスペンション、ステアリング、タイヤの変化により発生する運転者の望む旋回速度の誤差を考慮してその範囲を増加させることにより、システムの強健性を増大させる。一方、低速運転及び車両動力学的側面で前進運転と違いがある後進時には作動しない。
【００４９】
デッドゾーンが設定されると、実際測定された車両の旋回速度と基準旋回速度との差値（delta yaw）とデッドゾーン値とを比較し、差値の絶対値がデッドゾーン値より大きく、その差値（delta yaw）が負数である場合はアンダーステアと判断し、差値の絶対値がデッドゾーン絶対値より大きく、その差値（delta yaw）が正数である場合はオーバーステアと判断する。
【００５０】
以下、図２における判断結果、車両の状態がオーバーステア又はアンダーステアである場合、制動力及び駆動力を制御する方法を説明する。
【００５１】
＜＜車輪圧力制御量及び圧力発生＞＞
本発明の車両安定性制御システムにおいては、アンダーステア又はオーバーステアを感知したときに制御する車輪は、それぞれ後輪の内側輪と前輪の外側輪が対象となり、感知した量がある基準値以上である場合は、同一側のほかの車輪もともに制御する。この際、制御される車輪圧力は最適制御理論により決定され（Rough Tuning）、実際制御値（Fine Tuning）は、基準旋回速度と実際測定された旋回速度との差とその変化率によって車両試験により決定される。この際、車輪スリップを考慮して制御圧力を制限する。過度な圧力上昇は車輪をロッキングさせることがあり得、一定の車輪スリップ以上では補償旋回モーメント（yaw moment）がそれ以上増加しなく、究極的には車両の安定性を低下し、頻繁な圧力制御を誘発させる。式（５）は、最適の走行安定性及び短くて速い圧力制御のため、かつ過度なエンジントルクの低下により運転者の走行意志を邪魔しないように制御するための性能指数（Performance Index）を示し、これを最小化するため制御を行う。
【００５２】
式（５）
0003882116.tif 000006
【００５３】
ここで、Ｊ：性能指数
Ｗ1、Ｗ2、Ｗ3：加重値（weighting factors）
ｒdesired：運転者の望む旋回速度
ｒmeasured：測定された旋回速度
Ｐi：車輪制御圧力
Ｔdesired：運転者の望むエンジントルク
Ｔactual：制御されたエンジントルク
式（５）において、第１項は運転者の望む車両旋回速度と実際の車両旋回速度との差を示し、第２項は各輪での制御圧力を示す。第３項は運転者の望むエンジントルクと制御された実際のエンジントルク量との差を示す。各項がみんな小さくなるように制御するのが好ましいが、実際には不可能なので、妥協点を探し出さなければならない。すなわち、第１項が大きくなっても、ある程度までは制御を禁止して過度な制動圧力が発生しないようにする。また、第１項の向上が小さい場合は、それ以上の制御圧力を発生させない。すなわち、車輪スリップが基準値以上である場合は制御圧力を制限する。過度な圧力上昇は車輪をロッキングさせることがあり得、究極的には車両の安定性を低下させ、頻繁な圧力制御を誘発するためである。ここで、基準スリップ値を決定する方法は、路面、操向角及び車速によって車輪スリップが車両モーメントに及ぼす影響が違うので、それぞれの運転状況に応じて制御する。
【００５４】
図５は基準車輪スリップ量を決定するためのルックアップテーブルを示す。同図に示すように、車速別に路面の摩擦係数（μ）をｎ等分し、各状況で補償車両モーメントを発生し得る車輪スリップ量（λ）を決定する。
【００５５】
一方、第１項を小さくするため、エンジントルクを過度に減少させる場合、運転者の加速感を低下させないようにする。凍りついた路面のような路面摩擦係数が小さい場合は、制動圧力により車輪がロッキングしやすいので、第２項を用いて第１項の値を減らすよりは、第３項を用いることが好ましい。
【００５６】
本発明においては、運転者の望む旋回速度を正確に推定するのが重要であり、このためには、旋回速度の算出に用いられる操向角と車速を正確に求めることが重要である。
【００５７】
以下、操向角零点検出（Zero angle Detection）と車速を求める方法について説明する。
【００５８】
＜＜操向角零点検出＞＞
相対操向角センサーは零点検出後に用いることができ、零点検出時の実際操向角が０°、−３６０°、３６０°であるかを判断する基準が必要である。
【００５９】
このため、正常状態での操向角と車両旋回速度との車両動力学的関係式を用いる。ここで、式（６）を参照して、推定された操向角が、零点検出時、±１８０°以内の角度であると０°と判断し、−１８０°以上である場合は−３６０°と、１８０°以上である場合は３６０°と判断する。
【００６０】
（式６）
0003882116.tif 000007
【００６１】
ここで、δは操向角（steering wheel angle）
ｉはステアリングギヤ比（steering gear ratio）
γは測定されたヨー率（measured yaw rate）
Ｖは車速
Ｌはホイールベース（wheelbase）
Ｋusはアンダーステア係数（understeer coefficient）
ｇは重力加速度
＜＜車速設定＞＞
車両の駆動方式が前輪駆動又は後輪駆動である場合には、車速を非駆動輪から求め、４輪駆動（４ＷＤ）の場合には、縦加速度センサーをともに用いて車速を求める。
【００６２】
式（７）は車速決定の関係式を示す。
【００６３】
（式７）
0003882116.tif 000008
【００６４】
ここで、Ｖref：車速（Reference Speed）
α：縦加速度に対する加重値（Weighting Factor）
αx0：縦加速度に対する外乱補償値（Perturvation Factor）
αx：車体縦加速度値
Δｔ：積分時間（Integration Time）
Ｃ1：以前車速に対する加重値（Weighting Factor）
Ｖwheel：車輪速度（Wheel Speed）
４輪駆動車両の場合は、駆動力により全輪にスピンが発生するため、車輪速度のみで車速を決定することができない。したがって、車体縦加速度センサーから縦加速度値を決定し、その値を積分することにより車速を求める。ここで、縦加速度センサー値は誤差を随伴することがあり、例えば、傾斜路での走行に際して、重力加速度により誤差が発生することがあり得るので、αx0のような外乱補償値を含ませる。一方、２輪駆動車両のように、車輪スピンがない場合には、車輪速度から車速を求める。すなわち、縦加速度センサー値と車輪速度値の信頼度によって加重値を変更させながら車速を決定する。
【００６５】
一方、車体旋回速度が一定値以上であり、操向角がある一定値以上である場合には、装着されている旋回センサーから旋回速度地を用いて車速を補正するのが効果的である。
【００６６】
＜＜ＡＢＳ制御との協調制御＞＞
本発明の車両安定性制御システムがＡＢＳ制御と協調制御することにおいて、アンダーステア、オーバーステアの際に制御する後輪の内側輪、前輪の外側輪の目標スリップを、ＡＢＳで設定された値を用いなく、車両安定性制御システムで設定された値を用いる。
【００６７】
また、オーバーステア（spin-out）の際に、後輪の内側輪の目標スリップを小さくすることで後輪での横力を増加させることにより、前輪の外側での制動力による不充分な旋回モーメントを補償させる。
【００６８】
アンダーステアの場合にも同様に、前輪の外側輪の目標スリップを小さくする。
【００６９】
ここで、目標スリップを決定する方法は、図５に詳細に示すように、路面摩擦係数及び車速別に車輪スリップが車両旋回モーメントに及ぼす影響を分析して各運転状況に合うようにスリップ量を設定する。
【００７０】
＜＜ＴＣＳ制御との協調制御＞＞
本発明の車両安定性制御システムがＴＣＳ制御と協調制御することにおいて、基本的に車両の運動が激しくて大きい制動力が要求される場合、又は路面摩擦係数が小さい場合、エンジン駆動トルクを減少させて車両の揺れを防止するとともに、制御される車輪のブレーキ圧力を低くする。車両が前輪駆動であると、アンダーステアの際、目標回転速度を減少させて（目標トルクを小さくして）前輪での横力を増加させる。反対に、車両が後輪駆動であると、オーバーステアの際、目標回転速度を減少させて後輪での横力を増加させる。車両が４輪駆動（４ＷＤ）である場合は、アンダーステアの場合とオーバーステアの場合共に目標回転速度を小さくすることにより、駆動トルクを減らす。
【００７１】
一方、ＢＴＣＳ（Brake Intervention Traction Control System）との協調制御においては、ＡＢＳとの協調制御でのように、図５の基準車輪スリップ率を用いて車輪スリップを制限する。
【００７２】
【発明の効果】
以上説明したように、本発明による車両安定性制御システムは、旋回走行時に発生し得るアンダーステア、オーバーステアを防止するため、運転者の望む旋回速度を路面に応じて正確に推定した後、車輪に加わる制動力とエンジンの駆動力をともに制御することにより、良好な車両安定性を確保する効果がある。
【図面の簡単な説明】
【図１】  本発明による車両走行安定性制御システムの構成図である。
【図２】  本発明による車両の走行安定性制御システムの全体流れ図である。
【図３】  車両を２自由度システムでモデリングした図である。
【図４】  高摩擦路面での運転者の望む旋回速度を計算するのに用いられるゲインを説明する図である。
【図５】  車速と路面摩擦係数による目標スリップのルックアップ（Look-up）テーブルである。
【図６】  車両の横加速度を用いて走行路面を判断するための方法の流れ図である。
【符号の説明】
１０  センサー部
１１  ホイール速度センサー
１２  縦加速度センサー
１３  操向角センサー
１４  横加速度センサー
１５  旋回速度センサー
２０  電子制御部
２１  車速推定部
２２  操向角演算部
２３  デッドゾーン設定部
２４  路面摩擦係数推定部
２５  基準旋回速度決定部
２６  アンダーステア／オーバーステア判断部
２７  アンダーステア／オーバーステア制御部
３０  ブレーキ制御部
４０  エンジントルク制御部
５０  ＡＢＳ制御部
６０  ＴＣＳ制御部
【図１】
0003882116.tif 000010
【図２】
0003882116.tif 000011
【図３】
0003882116.tif 000012
【図４】
0003882116.tif 000013
【図５】
0003882116.tif 000014
【図６】
0003882116.tif 000015